(57)【要約】  本発明は、ブレーキダストの発生量を正確に計測できるようにするものであり、ブレーキＢを有する供試体をチャンバー２内に配置して、ブレーキＢから発生するブレーキダストを計測するブレーキダスト計測システム１００であって、チャンバー２内の空気をサンプリングするサンプリング部３と、サンプリング部３によりサンプリングされたサンプリング空気を元素分析する元素分析部４と、ブレーキＢに含まれる１又は複数の元素の含有情報を格納する格納部５１と、元素分析部４の元素分析結果及び元素の含有情報に基づいて、サンプリング空気に含まれるブレーキダスト量を算出する算出部５３とを備える。
2019225443.tif 000002
【特許請求の範囲】
【請求項１】
ブレーキを有する供試体をチャンバー内に配置して、前記ブレーキから発生するブレーキダストを計測するブレーキダスト計測システムであって、
前記チャンバー内の空気をサンプリングするサンプリング部と、
前記サンプリング部によりサンプリングされたサンプリング空気を元素分析する元素分析部と、
前記ブレーキに含まれる１又は複数の元素の含有情報を格納する格納部と、
前記元素分析部の元素分析結果及び前記元素の含有情報に基づいて、前記サンプリング空気に含まれるブレーキダスト量を算出する算出部とを備える、ブレーキダスト計測システム。
【請求項２】
前記格納部は、前記ブレーキのパッドに含有されている元素の含有情報を格納しており、
前記算出部は、前記パッドの摩耗により生じたブレーキダスト量を算出する、請求項１記載のブレーキダスト計測システム。
【請求項３】
前記格納部は、前記ブレーキのロータに含有されている元素の含有情報を格納しており、
前記算出部は、前記ロータの摩耗により生じたブレーキダスト量を算出する、請求項１又は２記載のブレーキダスト計測システム。
【請求項４】
前記チャンバーは、前記供試体が配置される密閉空間を有しており、
前記チャンバーには、前記サンプリング部のサンプリングによる気圧変動に対応して空気を給排気し、前記密閉空間の気圧変動を吸収する気圧変動吸収機構が設けられている、請求項１乃至３の何れか一項に記載のブレーキダスト計測システム。
【請求項５】
前記算出部は、前記チャンバーの容積と前記サンプリング空気の積算流量とに基づいて、前記サンプリング空気に含まれるブレーキダスト量から前記ブレーキから発生するブレーキダストの全量を算出する、請求項１乃至４の何れか一項に記載のブレーキダスト計測システム。
【請求項６】
前記供試体の試験前に対する試験後の前記ブレーキの減少重量を取得する減少重量取得部を更に備え、
前記算出部は、前記サンプリング空気に含まれるブレーキダスト量の前記試験における積算値を算出し、前記積算値に対する前記減少重量の比を算出し、前記試験中の各区間において得られた前記サンプリング空気に含まれるブレーキダスト量に前記比を乗算して、前記各区間において前記ブレーキから発生するブレーキダスト量を算出する、請求項１乃至４の何れか一項に記載のブレーキダスト計測システム。
【請求項７】
ブレーキを有する供試体をチャンバー内に配置して、前記ブレーキから発生するブレーキダストを計測するブレーキダスト計測方法であって、
前記チャンバー内の空気をサンプリングするサンプリングステップと、
サンプリングされた空気を元素分析する元素分析ステップと、
前記元素分析ステップの元素分析結果及び前記ブレーキに含まれる１又は複数の元素の含有情報に基づいて、前記サンプリングされた空気に含まれるブレーキダスト量を算出する算出ステップとを備える、ブレーキダスト計測方法。
【発明の詳細な説明】
【技術分野】
【０００１】
本発明は、ブレーキダスト計測システム及びブレーキダスト計測方法に関するものである。
【背景技術】
【０００２】
従来、シャシダイナモ上で車両を走行させた状態やブレーキダイナモにブレーキをセットした状態で、当該ブレーキから発生するブレーキダストをサンプリングする試みがなされている。このサンプリング手法としては、ブレーキの近くに、例えば漏斗状の捕集プローブ（ファンネルともいう。）を設置し、ブレーキ周辺の空気とともにブレーキダストをサンプリングすることが検討される。【０００３】
例えば、ブレーキダイナモでブレーキの試験を行うものとしては、特許文献１に示すように、例えば漏斗状の捕集プローブでサンプリングされた空気を、例えば凝縮粒子カウンタ（ＣＰＣ）や拡散電荷センサ（ＤＣＳ）等の粒子計測装置に導入して、ブレーキダストを計測するものが考えられている。【０００４】
しかしながら、試験室内には、タイヤ等の様々な回転系から発生するゴム粉や金属粉、作業者から発生する塵埃などが存在している。そうすると、粒子計測装置は、ブレーキダストの他に、ゴム粉、金属粉や塵埃なども計測してしまい、ブレーキダストを正確に計測することが難しい。また、ＣＰＣやＤＣＳ等の粒子計測装置では、粒子数や粒子サイズしか計測できず、ブレーキダストの発生量を正確に計測することができない。
【先行技術文献】
【特許文献】
【０００５】
【特許文献１】国際公開ＷＯ２０１７／０９７９０１号公報
【発明の概要】
【発明が解決しようとする課題】
【０００６】
そこで本発明は、上述した問題を解決すべくなされたものであり、ブレーキダストの発生量を正確に計測できるようにすることをその主たる課題とするものである。
【課題を解決するための手段】
【０００７】
すなわち本発明に係るブレーキダスト計測システムは、ブレーキを有する供試体をチャンバー内に配置して、前記ブレーキから出るブレーキダストを計測するブレーキダスト計測システムであって、前記チャンバー内の空気をサンプリングするサンプリング部と、サンプリングされた空気を元素分析する元素分析部と、前記ブレーキに含まれる１又は複数の元素の含有情報を格納する格納部と、前記元素分析部の元素分析結果及び前記元素の含有情報に基づいて、前記サンプリングされた空気に含まれるブレーキダスト量を算出する算出部とを備えることを特徴とする。【０００８】
また、本発明に係るブレーキダスト計測方法は、ブレーキを有する供試体をチャンバー内に配置して、前記ブレーキから出るブレーキダストを計測するブレーキダスト計測方法であって、前記チャンバー内の空気をサンプリングするサンプリングステップと、サンプリングされた空気を元素分析する元素分析ステップと、前記元素分析ステップの元素分析結果及び前記ブレーキに含まれる１又は複数の元素の含有情報に基づいて、前記サンプリングされた空気に含まれるブレーキダスト量を算出する算出ステップとを備えることを特徴とする。【０００９】
このようなものであれば、サンプリングされた空気を元素分析して得られた元素分析結果と、ブレーキに含まれる１又は複数の元素の含有情報とに基づいて、サンプリングされた空気に含まれるブレーキダスト量を算出するので、ゴム粉、金属粉や塵埃などの影響を低減することができる。その結果、ブレーキダストの発生量を正確に計測できるようになる。【００１０】
ブレーキは、回転体であるブレーキロータと、当該ブレーキロータに押圧されるブレーキパッドを有する。
ここで、ブレーキパッドはブレーキロータに比べて摩耗が大きく、ブレーキパッドから発生するブレーキダスト量を正確に計測できれば、本発明の実用性が向上する。このため、前記格納部は、前記ブレーキのパッドに含有されている元素の含有情報を格納しており、前記算出部は、前記パッドの摩耗により生じたブレーキダスト量を算出することが考えられる。【００１１】
また、ブレーキパッドに比べれば、ブレーキロータから発生するブレーキダスト量は小さいものの、ブレーキ全体でのブレーキダスト量を正確に計測できれば、本発明の実用性がより一層向上する。このため、前記格納部は、前記ブレーキのロータに含有されている元素の含有情報を格納しており、前記算出部は、前記ロータの摩耗により生じたブレーキダスト量を算出するが考えられる。【００１２】
サンプリングされた空気には、ブレーキダスト以外の誤差要因成分が含まれる場合がある。このため、誤差要因成分を低減するためには、前記チャンバーは、前記供試体が配置される密閉空間を有していることが考えられる。
この構成において、サンプリング部によりサンプリングすると、チャンバー内の気圧が変動して、計測条件が変化するなどの不具合が生じてしまう。
この問題を好適に解決するためには、前記チャンバーには、前記サンプリング部のサンプリングによる気圧変動に対応して空気を給排気し、前記密閉空間の気圧変動を吸収する気圧変動吸収機構が設けられていることが望ましい。【００１３】
ブレーキ全体から発生するブレーキダスト量を計測するためには、前記算出部は、前記チャンバーの容積と前記サンプリング空気の積算流量とに基づいて、前記サンプリング空気に含まれるブレーキダスト量から前記ブレーキから発生するブレーキダストの全量を算出することが望ましい。【００１４】
供試体の試験中の各区分においてブレーキ全体から発生するブレーキダスト量を正確に計測するためには、ブレーキダスト計測システムは、前記供試体の試験前に対する試験後の前記ブレーキの減少重量を取得する減少重量取得部を更に備え、前記算出部は、前記サンプリング空気に含まれるブレーキダスト量の前記試験における積算値を算出し、前記積算値に対する前記減少重量の比を算出し、前記試験中の各区間において得られた前記サンプリング空気に含まれるブレーキダスト量に前記比を乗算して、前記各区間において前記ブレーキから発生するブレーキダスト量を算出することが望ましい。
【発明の効果】
【００１５】
このように構成した本発明によれば、サンプリングされた空気を元素分析して得られた元素分析結果と、ブレーキに含まれる１又は複数の元素の含有情報とに基づいて、サンプリングされた空気に含まれるブレーキダスト量を算出するので、ブレーキダストの発生量を正確に計測できるようになる。
【図面の簡単な説明】
【００１６】
【図１】本実施形態に係るブレーキダスト計測システムの全体模式図である。
【図２】同実施形態に係る演算装置の機能を示す機能ブロック図である。
【図３】変形実施形態の演算装置の機能を示す機能ブロック図である。
【図４】試験中の各区間におけるブレーキダスト量の算出方法を示すグラフである。
【図５】変形実施形態に係るブレーキダスト計測システムの全体模式図である。
【符号の説明】
【００１７】
１００・・・ブレーキダスト計測システム
Ｂ    ・・・ブレーキ
Ｖ    ・・・試験車両（供試体）
２    ・・・チャンバー
２Ｓ  ・・・密閉空間
２１  ・・・気圧変動吸収機構
３１  ・・・サンプリング部
４    ・・・元素分析部
５１  ・・・格納部
５３  ・・・算出部
５４  ・・・減少重量取得部
【発明を実施するための形態】
【００１８】
以下、本発明に係るブレーキダスト計測システムの一実施形態について、図面を参照して説明する。
【００１９】
本実施形態のブレーキダスト計測システム１００は、ブレーキＢを有する供試体をチャンバー２内に配置して、ブレーキＢから発生するブレーキダストを計測するものである。
【００２０】
以下では、供試体である試験車両Ｖをシャシダイナモメータ１０上で走行させてブレーキダスト計測するシステム１００について説明する。
【００２１】
シャシダイナモメータ１０は、試験車両Ｖの駆動輪を載せる回転ドラム１１等を備えたものであり、ここでは試験車両Ｖの前輪及び後輪それぞれに対して回転ドラム１１が設けられているが、前輪又は後輪の一方のみに対して回転ドラム１１が設けられていても良い。
【００２２】
そして、ブレーキダスト計測システム１００は、ブレーキＢを有する供試体である試験車両Ｖが配置されるチャンバー２と、当該チャンバー２内の空気をサンプリングするサンプリング部３と、サンプリング部３によりサンプリングされたサンプリング空気を元素分析する元素分析部４と、元素分析部４の元素分析結果に基づいてブレーキダスト量を算出する演算装置５とを備えている。
【００２３】
チャンバー２は、試験車両Ｖが配置される実質的に密閉された密閉空間２Ｓを有しており、試験車両Ｖから排出される排ガスをチャンバー外に排出する排出機構２１を有している。排出機構２１は、試験車両Ｖの排気管とチャンバー２外部とを連通する配管である。
【００２４】
また、チャンバー２には、後述するサンプリング部３のサンプリングによる気圧変動に対応して空気を給排気し、密閉空間２Ｓの気圧変動を吸収する気圧変動吸収機構２２が設けられている。この気圧変動吸収機構２２は、チャンバー２の外気と連通する開口部を有するバッグであり、密閉空間２Ｓの気圧が低下した場合には、外気を取り込んで膨らみ、密閉空間２Ｓの気圧が上昇した場合には、バック内の空気を外部に放出する。これにより、密閉空間２Ｓの気圧変動が吸収される。なお、バッグの個数は２個に限られず１つであってもよいし、３個以上であっても良い。また、バッグの設置位置は上壁部に限られず、側壁部又は下壁部であっても良い。その他、気圧変動吸収機構２２は、密閉空間２Ｓの気圧変動に応じて伸縮する弾性体を有する構成であっても良い。
【００２５】
サンプリング部３は、チャンバー２内の空気をサンプリングするものである。本実施形態では、チャンバー２内の空気を二段サンプリングするものであり、大流量の空気をサンプリングする第１段採取部３１と、第１段採取部３１により採取された空気から一部をサンプリングする第２段採取部３２とを有する。
【００２６】
第１段採取部３１は、チャンバー２内に一端部（第１採取ポート３１Ｐ）が開口する第１採取管３１ａと、当該第１採取管３１ａに設けられて、第１採取ポート３１Ｐから空気を吸引するための第１吸引ポンプ３１ｂが設けられている。また、第１採取管３１ａには、第１採取管３１ａを流れる空気の流量を測定する第１流量センサ３１ｃが設けられている。
【００２７】
第２段採取部３２は、第１採取管３１ａ内に一端部（第２採取ポート３２Ｐ）が開口する第２採取管３２ａと、当該第２採取管３２ａに設けられて、第２採取ポート３２Ｐから空気を吸引するための第２吸引ポンプ３２ｂが設けられている。また、第２採取管３２ａには、第２採取管３２ａを流れる空気の流量を測定する第２流量センサ３２ｃが設けられている。
【００２８】
第１採取ポート３１Ｐは、チャンバー２内において、ブレーキＢから発生するブレーキダストを効率良く捕集できる部位に設けられている。例えば、第１採取ポート３１ＰをブレーキＢの近傍に設けること、試験車両Ｖの下側空間に設けること、試験車両Ｖの風下に設けること、又は、試験車両Ｖの上側空間に設けること等が考えられる。図１では、試験車両Ｖの上側空間における前方に設けた例を示しているが、これに限らない。また、第１採取ポート３１Ｐは、試験車両Ｖの各タイヤに設けられたブレーキＢ毎に設けても良い。さらに、第１採取ポート３１Ｐは、例えば漏斗状の捕集プローブにより構成することができる。
【００２９】
そして、第２段採取部３２の第２採取管３２ａには、第２採取ポート３２Ｐによりサンプリングされた空気中に含まれるブレーキダストを捕集するための捕集フィルタ６が設けられている。
【００３０】
この捕集フィルタ６は、サンプリングされた空気中の粒子を捕集するものであり、１枚１枚が分離されたバッチ式のものであってもよいし、供給ロール及び巻き取りロールを用いた巻き取り式のものであってもよい。捕集フィルタ６の材質としては、例えばＰＴＦＥコーティングガラス繊維又はＰＴＦＥなどが考えられる。
【００３１】
元素分析部４は、サンプリング部３によりサンプリングされた空気を元素分析するものである。具体的に元素分析部４は、捕集フィルタ６に捕集された粒子を元素分析するものである。この元素分析部４は、蛍光Ｘ線分析装置であり、Ｘ線を試料に照射して、発生する蛍光Ｘ線を検出して元素分析を行う装置である。前記試料は、粒子を捕集した捕集フィルタ６である。本実施形態の元素分析部４は、捕集フィルタ６に捕集された粒子に含まれる元素の濃度（例えば質量濃度（％））や質量（ｇ）を定量分析できるものである。なお、捕集フィルタ６がバッチ式のものであれば、捕集フィルタ６をサンプリング部３から取り外して元素分析部４にセットして元素分析を行う。また、捕集フィルタ６が巻き取り式ものであれば、元素分析部４が捕集フィルタ６の近傍に設置されて、捕集フィルタ６をサンプリング部３から取り外すことなく元素分析を行う。この場合、巻き取り式の捕集フィルタ６と元素分析部４とが一体構成された装置（フィルタ付きの元素分析装置）としてもよい。
【００３２】
演算装置５は、元素分析部４により得られた元素分析結果を示すデータを取得して、ブレーキダスト量を演算するものである。演算装置５は、ＣＰＵ、内部メモリ、入出力インターフェース、ＡＤ変換器などを備えた専用又は汎用のコンピュータである。そして、この演算装置５は、内部メモリに格納されたブレーキダスト計測プログラムに基づいて、ＣＰＵ及びその他の構成要素が協働することによって、格納部５１、受付部５２、算出部５３などの機能を発揮する。以下、各部５１〜５３について説明する。
【００３３】
格納部５１は、ブレーキＢに含まれる１又は複数の元素の含有情報を格納する。この含有情報は、デジタルデータであり、ブレーキＢに含まれる１又は複数の元素の既知濃度（例えば質量濃度（％））だけでなく、それら１又は複数の元素の組成比又は含有割合などを含んでいてもよい。また、含有情報は、予めユーザなどによって入力されたものであってもよいし、インターネットを介してサーバなどから送信されたものであってもよい。本実施形態の格納部５１は、ブレーキパッドに含まれる１又は複数の元素の含有情報を格納している。なお、格納部５１には、ブレーキロータに含まれる１又は複数の元素の含有情報が格納されていても良い。
【００３４】
受付部５２は、元素分析部４により得られた元素分析情報を受け付ける。この元素分析情報は、デジタルデータであり、捕集フィルタ３３に捕集された粒子に含まれる複数の元素の測定濃度（例えば質量濃度（％））だけでなく、それら複数の元素の組成比又は含有割合などを含んでいてもよい。そして、受付部５２は、受け付けた元素分析情報を算出部５３に送信する。
【００３５】
また、受付部５２は、第１流量センサ３１ｃにより得られた第１採取管３１ａを流れる空気の流量データを受け付けるとともに、第２流量センサ３２ｃにより得られた第２採取管３２ａを流れる空気の流量データを受け付ける。そして、受付部５２は、受け付けたそれらの流量データを算出部５３に送信する。
【００３６】
算出部５３は、受付部５２が受け付けた元素分析情報及び流量データと、格納部５１に格納された含有情報とに基づいて、サンプリング空気に含まれるブレーキダスト量を算出するものである。
【００３７】
具体的に算出部５３は、元素分析情報から、チタン（Ｔｉ）の重量（ｇ・ｍ／ｓ２）、銅（Ｃｕ）の重量（ｇ・ｍ／ｓ２）、鉄（Ｆｅ）の重量（ｇ・ｍ／ｓ２）を計測する（チタン：ＭＴｉ、銅：ＭＣｕ、鉄：ＭＦｅ）。なお、各成分の重量の計測方法としては、捕集前後の捕集フィルタ６の重量差を算出し、当該重量差に対して元素分析装置を用いて求めた各成分の含有割合を掛け合わせることや、捕集後の捕集フィルタ６に対して例えばβ線を照射して得られるβ線の透過強度から捕集重量を求め、当該捕集重量に対して元素分析装置を用いて求めた各成分の含有割合を掛け合わせることが考えられる。
【００３８】
予めブレーキパッドのチタン、銅、鉄の含有割合を元素分析装置を用いて重量百分率（％）を計測しておく（チタン：ＲＴｉ％、銅：ＲＣｕ％、鉄：ＲＦｅ％）。なお、このチタン、銅、鉄の含有割合が、含有情報として格納部５１に格納されている。
【００３９】
また、第２段採取部４２によるサンプリング流量（第２流量センサ３２ｃの流量データ）をＸ（Ｌ／ｍｉｎ）、第１段採取部によるサンプリング流量（第１流量センサ３１ｃの流量データ）をＹ（m３／ｍｉｎ）、第２段採取部４２によるサンプリング時間をＴ（ｍｉｎ）とする。
【００４０】
このとき、算出部５３は、以下の式により、サンプリングされた空気に含まれるブレーキダスト量（ｇ・ｍ／ｓ２）を算出する。
【００４１】
＜ブレーキパッドからのダスト発生量（ｍＰ）＞
ｍＰ＝［ＭＴｉ／ＲＴｉとＭＣｕ／ＲＣｕとの平均］×（Ｙ×１０００／Ｘ）×Ｔ
本実施形態では、チタンの計測重量から換算したブレーキパッドのダスト量と、銅の計測重量から換算したブレーキパッドのダスト量とを平均しているので、より正確なダスト発生量（ｍＰ）を算出することができる。なお、それらを平均すること無く、何れか一方の計測重量から換算したブレーキパッドのダスト量を用いても良い。
【００４２】
＜ブレーキロータからのダスト発生量（ｍＤ）＞
ｍＤ＝｛ＭＦｅ×（Ｙ×１０００／Ｘ）×Ｔ｝−ｍＰ×ＲＦｅ
【００４３】
＜ブレーキダスト量（ｍＢ）＞
ｍＢ＝ｍＰ＋ｍＤ
【００４４】
上記のブレーキダスト量は、サンプリングされた空気に含まれる量であり、サンプリングされない空気に含まれるブレーキダスト量は含まない。
【００４５】
このため、算出部５３は、以下の方法により、チャンバー２の容積（ＶＣ）とサンプリング空気の積算流量（ＱＳ）とに基づいて、サンプリング空気に含まれるブレーキダスト量（ｍＢ）からブレーキＢから発生するブレーキダストの全量（ｍＴＯＴＡＬ）を算出することもできる。
【００４６】
＜ブレーキＢから発生するブレーキダストの全量（ｍＴＯＴＡＬ）＞
ｍＴＯＴＡＬ＝ｍＢ×ＶＣ／ＱＳ
【００４７】
このように構成した本実施形態のブレーキダスト計測システム１００によれば、サンプリングされた空気を元素分析して得られた元素分析結果と、ブレーキに含まれる１又は複数の元素の含有情報とに基づいて、サンプリングされた空気に含まれるブレーキダスト量を算出するので、ゴム粉、金属粉や塵埃などの影響を低減することができる。その結果、ブレーキダストの発生量を正確に計測できるようになる。
【００４８】
なお、本発明は前記実施形態に限られるものではない。
【００４９】
例えば、図３に示すように、演算装置５が、供試体の試験前に対する試験後のブレーキの減少重量（Ｍｄｉｆｆ）を取得する減少重量取得部５４を更に備えており、当該減少重量（Ｍｄｉｆｆ）との関係でブレーキダスト量を補正するように構成しても良い。
【００５０】
具体的に算出部５３は、サンプリング空気に含まれるブレーキダスト量の試験における積算値（Ｍａｌｌ）を算出し、積算値（Ｍａｌｌ）に対する前記減少重量（Ｍｄｉｆｆ）の比を算出する。そして、算出部５３は、試験中の各区間において得られたサンプリング空気に含まれるブレーキダスト量に比を乗算して、各区間においてブレーキから発生するブレーキダスト量を算出する。
【００５１】
例えば、試験を区間１、２、３と分けた場合に、各区間１〜３においてサンプリング空気に含まれるブレーキダスト量をＭ１、Ｍ２、Ｍ３とする。そうすると、全区間を合わせた積算値（Ｍａｌｌ）は、Ｍａｌｌ＝Ｍ１＋Ｍ２＋Ｍ３となる。
【００５２】
このとき、ＭａｌｌとＭｄｉｆｆとが同じであれば、ブレーキダストが全量サンプリングされていることを意味する。
【００５３】
一方、図４に示すように、ＭａｌｌとＭｄｉｆｆとに差分がある場合には、算出部５３は、Ｍｄｉｆｆ／Ｍａｌｌ＝Ａとして、各区間１〜３のブレーキダスト量Ｍ１、Ｍ２、Ｍ３にＡを乗算して補正し、各区間１〜３においてブレーキから発生したブレーキダスト量（Ｍ１×Ａ、Ｍ２×Ａ、Ｍ３×Ａ）を算出する。
【００５４】
前記実施形態では、シャシダイナモ上で車両を走行させてブレーキダスト量を計測するものであったが、図５に示すように、ブレーキダイナモＢＤにブレーキＢをセットしてブレーキダスト量を計測するようにしても良い。
【００５５】
ブレーキダイナモＢＤを用いたブレーキダスト計測システム１００では、ブレーキロータ（ブレーキロータ）周囲の車速風は、チャンバー２内に設置した軸流ファンで車速を模擬した制御を行う。サンプリングポイントを供試体（ブレーキＢ）近傍に置く必要がなく、ブレーキロータの温度を対するサンプリングの影響を低減することができる。また、ブレーキアッセンブリのみであり、ブレーキダストが付着する周辺構造が少なく、チャンバー２内にブレーキダストを飛散させやすくすることができる。また、冷却用軸流ファンによりブレーキダストが周囲に拡散しやすくなる。チャンバー２内の空気は、例えばＨＥＰＡフィルタ等の防塵フィルタＦを用いて清浄化された空気を用いる。さらに、タイヤが無いため、ダストの発生源を減らすことができ、ブレーキダストのサンプリングを効率良く行うことができる。
【００５６】
さらに、前記実施形態のシャシダイナモ上で走行する車両から排出される排ガスを排ガスサンプリング装置により採取して、排ガス分析装置により当該排ガス中に含まれる所定成分を分析するシステムと組み合わせても良い。
【００５７】
ブレーキダスト量は、前記実施形態では、ブレーキパット及びブレーキロータの両方を計測するものであったが、ブレーキパットのみのブレーキダストを計測するものであっても良い。また、ブレーキの形式としては、ディスクブレーキの他に、ドラムブレーキであっても良い。この場合、格納部には、ブレーキシューの元素の含有情報及び／又はブレーキドラムの元素の含有情報が格納されている。
【００５８】
前記実施形態では、チャンバーからの採取空気量及び捕集フィルタへの通過流量を考慮して二段サンプリングするものであったが、一段サンプリングするものであっても良い。
【００５９】
前記実施形態では、四輪自動車のブレーキのブレーキダストを計測するものであったが、二輪自動車のブレーキのブレーキダストを計測するものであっても良い。また、試験車両Ｖとしては、エンジン車の他に、ハイブリッド車、電気自動車、燃料電池車であっても良い。さらに、前記実施形態の供試体は、完成車両であったが、車両の一部であってもよい。
【００６０】
また、演算装置は、機械学習アルゴリズムを用いてブレーキダスト量を算出するものであっても良い。例えば、演算装置は、元素分析部４により得られた元素分析結果を示すデータとブレーキダスト量を示すデータとからなる学習データセットを用いて機械学習する機械学習部を備えており、当該機械学習部により生成された学習モデルを用いて、元素分析部４により得られた元素分析結果を示すデータからブレーキダスト料を算出する。なお、学習モデルは、演算装置とは別に機械学習装置により生成されたものであっても良い。
【００６１】
その他、本発明は前記実施形態に限られず、その趣旨を逸脱しない範囲で種々の変形が可能であるのは言うまでもない。
【産業上の利用可能性】
【００６２】
本発明によれば、ブレーキダストの発生量を正確に計測できるブレーキダスト計測システムを提供することができる。
【図１】
2019225443.tif 000003
【図２】
2019225443.tif 000004
【図３】
2019225443.tif 000005
【図４】
2019225443.tif 000006
【図５】
2019225443.tif 000007
【国際調査報告】
2019225443.tif 000008
2019225443.tif 000009
2019225443.tif 000010
2019225443.tif 000011